(57)【要約】【課題】プルキンエ現象によって赤色の表示が変色してしまっていた。また、低消費電力化が望まれていた。【解決手段】赤色による表示を行うにあたり、周囲の明るさに対応した照度信号を入力し、上記照度信号に基づいて、照度の変化によらず表示色が赤色となるように主波長の異なる赤色発光素子毎の点灯率を決定し、上記決定された点灯率に基づいて上記主波長が異なる各々の赤色発光素子を発光させる。【選択図】図４
2007218942.tif 000002
【特許請求の範囲】
【請求項１】
赤色による表示を行う赤色表示方法であって、
周囲の明るさに対応した照度信号を入力する照度信号入力工程と、
上記照度信号に基づいて、照度の変化によらず表示色が赤色となるように主波長の異なる赤色発光素子毎の点灯率を決定する点灯率決定工程と、
上記決定された点灯率に基づいて上記主波長が異なる各々の赤色発光素子を発光させる表示制御工程と、
を具備することを特徴とする赤色表示方法。
【請求項２】
主波長の異なる少なくとも２種類の赤色発光素子を備えた表示部と、
周囲の明るさに対応した照度信号を入力する照度信号入力手段と、
上記照度信号に基づいて、照度の変化によらず表示色が赤色となるように上記赤色発光素子毎の点灯率を決定する点灯率決定手段と、
上記決定された各々の点灯率に基づいて上記赤色発光素子を発光させる表示制御手段と、
を具備することを特徴とする表示装置。
【請求項３】
上記少なくとも２種類の赤色発光素子は、夜間に赤色と視認される第１の赤色発光素子と、昼間に赤色と視認されるが夜間には赤色と視認されない第２の赤色発光素子とを含むことを特徴とする請求項２に記載の表示装置。
【請求項４】
上記点灯率決定手段は複数の点灯率から任意の組み合わせを選択し、表示制御手段はこの組み合わせに対応した点灯率で各赤色発光素子を発光させることにより、複数の階調で上記赤色発光素子を発光させることを特徴とする請求項２または請求項３のいずれかに記載の表示装置。
【請求項５】
上記表示部では、主波長の異なる赤色発光素子を１表示画素とし、該表示画素がドットマトリックス状に配置されていることを特徴とする請求項２〜請求項４のいずれかに記載の表示装置。
【請求項６】
上記表示部は、主波長の異なる赤色発光素子を複数個備える赤色信号灯であることを特徴とする請求項５に記載の表示装置。
【請求項７】
上記表示部では、主波長の異なる赤色発光素子と赤色以外の表示色の発光素子とを１表示画素とし、該表示画素がドットマトリックス状に配置されていることを特徴とする請求項２〜請求項４のいずれかに記載の表示装置。
【発明の詳細な説明】
【技術分野】
【０００１】
本発明は、複数の表示素子によって文字や図柄などを表示する表示方法および表示装置に関する。
【背景技術】
【０００２】
公の場所などで文字や図柄、特定の色のマークなどを表示する表示装置として特定の文字等を赤色発光素子のみによって情報を提供する表示装置、例えば、赤色のみで「速度落とせ」や「凍結注意」などの表示を行う情報表示装置や、赤色信号灯が知られている。（例えば、非特許文献１）。
【非特許文献１】２００４年名古屋電機工業株式会社発行の総合カタログ                          ７９頁  路面凍結表示板クリーンエネルギー式                          ８０頁  気温表示板Ｌ１形、Ｌ２形
【発明の開示】
【発明が解決しようとする課題】
【０００３】
近年市販されている高輝度ＬＥＤは、その材料としてInGaAlPが主流になっている。この材料のＬＥＤは、波長６００nm付近を発光効率の頂点とする特性がある。これに対して、この材料を用いた赤色ＬＥＤで、人の目が赤色として認識できる最短波長は６１４nm付近である。従って、波長６１４nmの赤色が明所視において最も発光効率が高い赤色ＬＥＤとなる。しかし、夜間の暗所視ではこの赤色ＬＥＤの光を赤色とは認識できず、黄色寄りの発光色と認識する。この現象はプルキンエ現象と呼ばれる作用によるものである。
【０００４】
一方、夜間において赤色と認識できる最短波長は実験結果から６２７nmを得ている。従って、夜間においても赤色と認識できるようにするためには、波長６２７nm付近あるいはそれ以上の波長の成分を多く含むＬＥＤが必要になる。このため、昼間において電力効率の高い赤色ＬＥＤを採用すると昼夜における色の変動を抑えることができず、夜間において赤色と認識できる赤色ＬＥＤを採用すると昼間における赤色の表示に多くの電力が必要になる。例えば、この種の表示装置にて汎用的に利用されている主波長（ドミナント波長）６４０nmの赤色ＬＥＤでは、電力効率が悪かった。
本発明は、上記課題にかんがみてなされたもので、赤色による表示は昼夜を問わず赤色とされ、また、低い消費電力によって運用可能な表示方法および表示装置を提供することを目的とする。
【課題を解決するための手段】
【０００５】
上記の目的を達成するため、本発明においては、主波長の異なる赤色発光素子を点灯可能に構成し、赤色発光素子の周囲の明るさに対応した照度を取得し、当該照度に基づいて赤色発光素子毎に点灯率を決定する。このとき、照度の変化によらず表示色が赤色となるように上記赤色発光素子毎の点灯率を決定する。
【０００６】
従って、時間の経過に伴って赤色発光素子の周囲の明るさが変動し、プルキンエ現象によって色の見え方が変化し得る状況が発生していたとしても、赤色で表示すべき文字や図柄は赤色で表示される。この結果、注意喚起など、色によって文字や図柄の内容を強調したい場合であっても、その意図を正確に反映した表示を行うことができる。
【０００７】
ここで、表示部においては、少なくとも２種類の赤色発光素子を備え、これらの点灯率を調整することにより、照度の変化が生じた場合であっても表示色が赤になるように点灯制御を実施することができればよい。従って、赤色発光素子としては、少なくとも２種類の赤色発光素子を備えることによって、少なくとも異なる２つの分光分布による発光を行い、この結果、周囲の照度の変化によらず赤色となるようにすればよい。
【０００８】
このためには、２つの赤色発光素子において発光効率の頂点となる波長や分光分布の積分値を比較し、２つの赤色発光素子において長波長側の成分が多い発光素子については、照度が低下するに従ってその点灯率を増加させ、短波長側の成分が多い発光素子については、照度が上昇するに従ってその点灯率を増加させる構成等を採用可能である。
【０００９】
より具体的には、夜間に赤色と視認される第１の赤色発光素子と、昼間に赤色と視認されるが夜間には赤色と視認されない第２の赤色発光素子とによって表示部の赤色発光素子を構成すればよい。この構成においては、夜間に第１の発光素子のみ、あるいは第１の発光素子と第２の赤色発光素子との双方を発光させることによって赤色の表示を行うことができる。さらに、昼間に第２の赤色発光素子のみ、あるいは第１の発光素子と第２の赤色発光素子との双方を発光させることによって赤色の表示を行うことができる。
【００１０】
また、第２の赤色発光素子においては、昼間に赤色と視認されるが夜間には赤色と視認されず、この発光素子では、その主波長が昼間に赤色と視認されるが夜間に赤色と視認されない波長に相当する。近年の技術では、この波長が主波長であって当該主波長付近の発光効率が高く、しかも、高輝度のＬＥＤ（例えば、InGaAlPを材料とする高輝度ＬＥＤ）を作成することができる。
【００１１】
従って、この高輝度ＬＥＤによって第２の赤色発光素子を形成すれば、上述のような主波長６４０nmのＬＥＤと比較して低消費電力で高輝度の赤色を発光することができる発光素子を形成することができ、昼間に使用して好適な発光素子を形成できる。一方、夜間においては、昼間と比較して低輝度であってもよいので、主波長がより短波長側の赤色発光素子を使用すればよく、第１の赤色発光素子と第２の赤色発光素子とを併用することによってプルキンエ現象の防止と低消費電力化を両立することができる。
【００１２】
なお、第１の赤色発光素子としては、例えば、主波長６２７nmの赤色ＬＥＤを利用することができ、第２の赤色発光素子としては、主波長６１４nmかつInGaAlPを材料とする高輝度ＬＥＤを採用することができる。また、照度の変化によらず表示色が赤色となるようにするためには、２以上の赤色発光素子を使用すればよく、むろん３個あるいはそれ以上の個数の赤色発光素子について点灯率を決定するよう構成してもよい。
【００１３】
さらに、照度信号入力手段においては、赤色発光素子の周囲の明るさに対応した照度信号を取得することができればよく、照度計によって取得しても良いし、外部の機器から送信された照度を示すデータを取得してもよく、種々の構成を採用可能である。
【００１４】
さらに、点灯率決定手段においては、照度信号に応じて点灯率を決定し、この結果、照度の変化によらず表示色が赤色となるように赤色発光素子の点灯率を決定することができればよい。従って、予め照度信号と点灯率とを対応付けておき、照度信号に応じて点灯率を決定するなど、種々の構成を採用することができる。さらに、表示制御手段は、上記決定された点灯率によって各赤色発光素子を発光させることができればよく、例えば、赤色発光素子の点灯と非点灯とを制御する回路において、上記点灯率に応じて点灯と非点灯とを切り替える構成等を採用可能である。
【００１５】
さらに、点灯率決定手段と表示制御手段とにおける構成例として、多階調の表示を実行できるように構成してもよい。例えば、赤色発光素子のそれぞれを点灯させるための点灯率を複数個用意しておき、上記点灯率決定手段によって複数の点灯率から任意の組み合わせを選択し、表示制御手段はこの組み合わせに対応した点灯率で各赤色発光素子を発光させる。この結果、複数の階調で赤色発光素子を制御することが可能になる。
【００１６】
この構成においては、照度信号に応じて複数の段階で表示色を切り替えることができるので、赤色発光素子の発光輝度、色相、彩度を調整することが可能になる。従って、赤色発光素子による色の切り替えを昼夜の二段階とする必要もなく、急激に変化したという印象を与えないように表示色を切り替えることが可能になる。
【００１７】
さらに、本発明における表示部の構成としては、種々の構成を採用可能であり、主波長の異なる複数の赤色発光素子によって一つの表示画素を構成し、当該表示画素をドットマトリクス状に配置することによって表示部を構成すれば、赤色によって文字や図柄、特定の色のマークなどを表示し、かつプルキンエ現象の影響を受けることなく赤色のみでこの表示を行う表示装置を提供することが可能である。このような構成の一例としては、踏切や交差点等の赤色信号灯が挙げられる。
【００１８】
さらに、主波長の異なる複数の赤色発光素子と他の表示色の発光素子によって一つの表示画素を構成し、当該表示画素をドットマトリクス状に配置することによって表示部を構成すれば、赤色以外の表示も実施可能な表示装置を提供することができる。むろん、この表示装置によって赤色を表示するときには、プルキンエ現象の影響を受けることなく赤色表示を行う表示装置を提供することが可能である。また、短波長側の赤色発光素子と他の表示色の発光素子によって混色の表示を行えば、昼間時の表示における電力消費を大幅に抑えることが可能である。
【００１９】
さらに、本発明のように少なくとも２種類の赤色発光素子を利用してプルキンエ現象の影響を抑えることによって、照度に影響されずに赤色を表示する手法は、表示方法としても適用できるし、表示装置としても適用可能である。また、このような方法および装置は、上述の表示装置単独で実現される場合もあるし、ある機器に組み込まれた状態で利用されることもあるなど、発明の思想としては各種の態様を含むものであり、ソフトウェアであったりハードウェアであったりするなど、適宜、変更可能である。
【００２０】
発明の思想の具現化例として表示装置を制御するソフトウェアとなる場合には、当該ソフトウェアやソフトウェアの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【発明を実施するための最良の形態】
【００２１】
ここでは、下記の順序に従って本発明の実施の形態について説明する。
（１）表示装置の構成：
（２）ＬＥＤ駆動回路：
（３）他の実施形態：
【００２２】
（１）表示装置の構成：
図１は、本発明にかかる表示装置の表示面を示した図である。同図において、表示装置１０は、７２個の表示ユニットＵ１〜Ｕ７２が６行１２列の行列状に配置されており、この７２個の表示ユニットＵ１〜Ｕ７２を使用して、表示面に所定の文字を用いた情報が表示可能になっている。ここで、表示ユニットＵ１〜Ｕ７２には、図２に示すとおり、１６行１６列の表示画素１１がドットマトリクス状に配置されている。また、当該表示画素１１は、図２の拡大図Ａに示すように、第１の赤色ＬＥＤ（Ｒ１）および第２の赤色ＬＥＤ（Ｒ２）を備えている。
【００２３】
拡大図Ａは、表示画素１１を拡大して模式的に示した図である。本実施形態においては、赤色表示を主波長の異なる２種類の赤色ＬＥＤ（砲弾型のＬＥＤランプ）で表示する。すなわち、拡大図Ａに示すように第１の赤色ＬＥＤ（Ｒ１）と第２の赤色ＬＥＤ（Ｒ２）によって１つの表示画素が形成され、表示ユニットにドットマトリクス状に配置されている。なお、本実施形態において第１の赤色ＬＥＤの主波長は６２７nm（色度座標ｘ＝0.70731，ｙ＝0.29622）、第２の赤色ＬＥＤの主波長は６１４nm（色度座標ｘ＝0.67746，ｙ＝0.32236）である。
【００２４】
また、上記の各主波長は赤色ＬＥＤの公称値λｄであって、昼間における見え方（色相）に相当する。また、本実施形態において、上記第１の赤色ＬＥＤと第２の赤色ＬＥＤとは主波長が異なるが、第１の赤色ＬＥＤは昼夜において赤色として視認され、第２の赤色ＬＥＤは昼間において赤色、かつ夜間において赤色ではなく黄色寄りの色として視認される。さらに、第２の赤色ＬＥＤのような主波長のＬＥＤはInGaAlPによって高輝度ＬＥＤとして作成することができる。従って、第１の赤色ＬＥＤ、第２の赤色ＬＥＤともに昼間は赤色として視認されるものの、同等の視距離を確保するために必要な電力は第１の赤色ＬＥＤの方が小さい。
【００２５】
本実施形態においては、第１の赤色ＬＥＤ（Ｒ１）および第２の赤色ＬＥＤ（Ｒ２）の各々の点灯率を変化させることによって多階調の赤色表示を行う。なお、本実施形態においては、表示装置１０を６行１２列の表示ユニットＵ１〜Ｕ７２で構成したが、むろん、この態様はこれに限定されるものではなく適宜変更可能である。また、表示ユニットＵ１〜Ｕ７２を１６行１６列の表示画素１１によって構成したが、同様にこの態様に限定されるものではなく、例えば、３２行３２列など適宜変更可能である。そして、表示画素１１に配設するＬＥＤの個数、形状およびその位置関係においても上述した態様に限定されるものではなく適宜変更可能である。
【００２６】
図３は、表示装置１０の主な内部構成を示すブロック図である。表示装置１０は表示内容の制御を行う制御部２０とＬＥＤを点灯させるためのＬＥＤ表示部３０と表示装置１０の周囲の照度を検出する照度計４０とを備えている。照度計は表示面の外枠に取り付けられている。
【００２７】
制御部２０は、ＣＰＵ２１と制御プログラムメモリ２２と表示データメモリ２３とＲＯＭ２４と照度値検出部２５とＬＥＤ制御部２６と通信部２７を備えている。制御プログラムメモリ２２は通信部２７を介して図示しない中央装置から送信された表示データを取得して表示装置１０を制御するためのプログラムを記憶した記憶媒体であり、ＣＰＵ２１は表示データメモリ２３をワークエリアとして利用しながら当該制御プログラムを実行することができる。
【００２８】
ＲＯＭ２４には、予め登録した固定表示を行うための表示データ２４ａと、照度値検出部２５でＡ／Ｄ変換された照度値に応じて選択される赤色ＬＥＤ（Ｒ１）および赤色ＬＥＤ（Ｒ２）の輝度値に対応する点灯率データ２４ｂが記憶されている。点灯率データ２４ｂは、所定の時間Ｔ内でＬＥＤが点灯している時間の割合を示しており、当該所定の時間Ｔ内のパルス幅と同等である。
【００２９】
本実施形態において、各ＬＥＤの点灯率は０，Ｔ／１５，２Ｔ／１５，，，，１５Ｔ／１５のように所定の時間Ｔの１／１５を単位として全１６種類のデータが記録されている。従って、第１の赤色ＬＥＤ（Ｒ１）と第２の赤色ＬＥＤ（Ｒ２）との組み合わせは全部で１６×１６種類であり、１つの画素について２５６階調の表示が可能である。
【００３０】
表示データ２４ａは、表示装置１０の表示面上に表示させる道路情報などの表示項目毎に点灯すべき表示画素１１を示したデータである。また、上述のように通信部２７を介して取得した表示データも同様であり、任意の表示を行うために点灯すべき表示画素１１を示したデータである。表示に際してはＣＰＵ２１の制御によって表示データ２４ａや通信部２７から取得した表示データが表示データメモリ２３に保存される。さらにＣＰＵ２１は当該表示データメモリ２３に記憶した表示データを所定タイミングのクロックに同期させてＬＥＤ制御部２６からＬＥＤ表示部３０にシリアル転送する。
【００３１】
また、ＬＥＤ制御部２６には、周囲の照度に応じて第１の赤色ＬＥＤ（Ｒ１）と第２の赤色ＬＥＤ（Ｒ２）の点灯率を決定し、この点灯率に応じたパルス幅の点灯パルスをＬＥＤ表示部３０に出力する点灯パルス出力部２６ａが備えられている。すなわち、照度値検出部２５が照度計４０における照度値を出力すると、点灯パルス出力部２６ａはこの照度値に応じてＲＯＭ２４から適宜点灯率データ２４ｂを取得し、その点灯率に応じた点灯パルスｔm，ｔnをＬＥＤ表示部３０に出力する。ここでは、第１の赤色ＬＥＤ（Ｒ１）を点灯させるための点灯パルスをｔm，第２の赤色ＬＥＤ（Ｒ２）を点灯させるための点灯パルスをｔnとして示している。
【００３２】
なお、本実施形態においては、照度が高い昼間には第２の赤色ＬＥＤ（Ｒ２）のみを点灯させ、照度が低い夜間には第１の赤色ＬＥＤ（Ｒ１）のみを点灯させるようになっており、かつ、夜間から昼間に向けて徐々に第１の赤色ＬＥＤ（Ｒ１）の点灯率が下がり、第２の赤色ＬＥＤ（Ｒ２）の点灯率が上がるようにしてある。このために、ＲＯＭ２４には照度値と各ＬＥＤの点灯率とを対応付けた図示しないテーブルデータが記録されており、点灯パルス出力部２６ａは、このテーブルデータに基づいて照度値に応じた点灯率を取得する。
【００３３】
ＬＥＤ表示部３０は、上記表示ユニットＵ１〜Ｕ７２とシフトレジスタ３１とＬＥＤ駆動回路３２を備えている。シフトレジスタ３１は、図示しないクロックに同期してデジタルデータを後段のレジスタに伝達する一時記憶装置であり、複数の表示画素１１のそれぞれに対応したレジスタが用意されている。当該シフトレジスタ３１は上記データ制御部２６ｂに接続されており、当該データ制御部２６ｂから出力される表示データを取得してレジスタに保持する。
【００３４】
また、ＬＥＤ駆動回路３２は、図示しないラッチ回路を備えており、上記シフトレジスタ３１にて取得した表示データを適切なタイミングでラッチし、各ＬＥＤの点灯／非点灯を確定する。また、ＬＥＤ駆動回路３２は、上記点灯パルスを取得して、それぞれの点灯パルスのパルス幅に応じて赤色ＬＥＤ（Ｒ１）および赤色ＬＥＤ（Ｒ２）を点灯させる。
【００３５】
（２）ＬＥＤ駆動回路：
図４は、ＬＥＤ駆動回路の要部回路を示す図である。同図において、第１の赤色ＬＥＤ（Ｒ１）および第２の赤色ＬＥＤ（Ｒ２）は表示用電源ＶREDとグラウンドＧＮＤとの間に並列に接続されており、さらに、この回路には第１および第２の赤色ＬＥＤの点灯時間を制御するための第１のトランジスタ（Ｔｒ１）と第２のトランジスタ（Ｔｒ２）と、第１および第２の赤色ＬＥＤの点灯と非点灯を制御する第３のトランジスタ（Ｔｒ３）とが接続されている。
【００３６】
そして、本実施形態においては、表示データがＬＥＤの点灯を示しているときに第３のトランジスタ（Ｔｒ３）がオン、表示データが非点灯を示しているときに第３のトランジスタ（Ｔｒ３）がオフとなる。また、第１のトランジスタ（Ｔｒ１）と第２のトランジスタ（Ｔｒ２）は点灯パルス出力部２６ａに接続されている。当該ベース端子のバイアスは上記点灯パルスｔm，ｔnのパルス幅に応じて制御され、点灯パルスがＬＥＤの点灯を示しているときに各トランジスタがオン、非点灯を示しているときに各トランジスタがオフとなる。
【００３７】
従って、図５に示すように、第３のトランジスタ（Ｔｒ３）にＬＥＤの点灯を示す表示データが入力されてオンになった状態で、第１のトランジスタ（Ｔｒ１）と第２のトランジスタ（Ｔｒ２）に図示ＡやＢのように点灯パルスｔm，ｔnを入力することにより、赤色ＬＥＤ（Ｒ１）と赤色ＬＥＤ（Ｒ２）がそれぞれのパルス幅に応じた時間点灯する。このようにして、各画素において第１の赤色ＬＥＤ（Ｒ１）と第２の赤色ＬＥＤ（Ｒ２）との明るさが異なる複数の表示が可能であり、多階調の表示が実行される。
【００３８】
なお、図５のＡは第１の赤色ＬＥＤ（Ｒ１）に対するパルス幅が最大（時間Ｔ）の状態、かつ、第２の赤色ＬＥＤ（Ｒ２）に対するパルス幅がＴ／１５の状態を示しており、第１の赤色ＬＥＤ（Ｒ１）の主波長に接近した赤色混合色が表示されることを示している。また、図５のＢは第１の赤色ＬＥＤ（Ｒ１）に対するパルス幅がＴ／１５の状態、かつ、第２の赤色ＬＥＤ（Ｒ２）に対するパルス幅が最大（時間Ｔ）の状態を示しており、第２の赤色ＬＥＤ（Ｒ2）の主波長に接近した赤色混合色が表示されることを示している。以上のように各ＬＥＤにおける点灯率を１６種類設定可能にすることによって、各ＬＥＤの点灯率０を含む１６２＝２５６階調の赤色の混合色表示が可能となる。
【００３９】
以上のように、本実施形態においては、点灯パルス出力部２６ａが出力する点灯パルスによって第１の赤色ＬＥＤ（Ｒ１）と第２の赤色ＬＥＤ（Ｒ２）との点灯時間を制御し、各ＬＥＤの明るさが異なる複数の状態で点灯させることができる。また、この点灯パルスは、上述のように照度値に応じたパルス幅となり、照度が高い昼間には第２の赤色ＬＥＤ（Ｒ２）のみを点灯させるようになっている。
【００４０】
当該第２の赤色ＬＥＤ（Ｒ２）は、上述のように高輝度ＬＥＤであるため、小さな消費電力によって明るい表示を行うことができる。また、当該第２の赤色ＬＥＤ（Ｒ２）は、プルキンエ現象によって夜間に赤色ではないと視認されるが、昼間には赤色であると視認される。従って、確実に赤色での表示を行うことができる。
【００４１】
さらに、昼間から夜間に向けて照度値が大きな値から小さな値に変化するときには、第２の赤色ＬＥＤ（Ｒ2）の点灯率が下がり、第１の赤色ＬＥＤ（Ｒ1）の点灯率が上がるように点灯率を徐々に変化させる。従って、表示装置１０を視認する者に、表示内容の色が急激に変化したという印象を与えないようにすることができる。また、照度が低下してプルキンエ現象が発生したとしても、徐々に第２の赤色ＬＥＤ（Ｒ２）による光が増えるため、表示内容を赤色として表示することができる。
【００４２】
さらに、照度が低い夜間には第１の赤色ＬＥＤ（Ｒ１）のみを点灯するようになっている。当該第１の赤色ＬＥＤ（Ｒ１）は、夜間であるため、小さな消費電力によって充分に視認可能な輝度で表示を行うことができる。当該第１の赤色ＬＥＤ（Ｒ１）は、プルキンエ現象の発生にかかわらず赤色と認識されるため、夜間においても確実に赤色の表示を行うことができる。なお、上記図５においては表示データを固定にて説明したが、外周照度に応じて可変であってもよい。この時のＬＥＤの点灯／非点灯は表示データに応じて変化する。
【００４３】
（３）他の実施形態：
以上の実施形態は、本発明を実施するための一例であり、照度の変化によらず表示色が赤色となるように少なくとも２種類の赤色発光素子の点灯率を制御することができる限りにおいて、他にも種々の実施形態を採用可能である。例えば、赤色信号灯を本発明の表示装置とすることができる。
【００４４】
図６は、当該赤色信号灯の表示部を模式的に示す図である。赤色信号灯は、同図６に示すようにポリカーボネイトの透明カバーが形成された表示ユニット１００を備えており、当該表示ユニット１００の内部には図示しない基板に配置された複数の砲弾型ＬＥＤを備えている。これらのＬＥＤの中では、相対的に短い波長の第２の赤色ＬＥＤ（Ｒ２）が相対的に長い波長の第１の赤色ＬＥＤ（Ｒ１）に比べて多く、例えば、７０％使用されている。また、上述の実施形態と同様に第２の赤色ＬＥＤ（Ｒ２）は高輝度ＬＥＤであるが、プルキンエ現象により夜間に単独では赤色として認識されない。第１の赤色ＬＥＤ（Ｒ１）は高輝度ＬＥＤではないが、夜間であっても赤色と認識される。
【００４５】
この赤色信号灯は、図７に示す構成を備えている。同図において、上記図３と同様な構成は同じ符号で示している。この表示装置において、表示内容は赤色のマークの点灯・非点灯であるため、表示データに応じた制御を行う構成は備えていない。従って、制御プログラムメモリ２８によって表示ユニット１００にて赤色の点灯を行うタイミングと非点灯とするタイミングとを制御するようになっており、かつ、照度値に応じて第１の赤色ＬＥＤ（Ｒ１）と第２の赤色ＬＥＤ（Ｒ２）との点灯率を制御する。
【００４６】
このとき、照度が高い昼間には第２の赤色ＬＥＤ（Ｒ２）を点灯させ、照度が低い夜間には第１の赤色ＬＥＤ（Ｒ１）を点灯させるようになっており、かつ、夜間から昼間に向けて徐々に第１の赤色ＬＥＤ（Ｒ１）の点灯率が下がり、第２の赤色ＬＥＤ（Ｒ２）の点灯率が上がるようにしてある。従って、昼夜を問わず、信号灯を赤色で点灯させることができ、かつ、昼間における消費電力を抑えることができる。
【００４７】
また、上述の実施形態は一例であり、例えば、照度計４０を表示装置に備える構成とせず、中央装置からの制御信号によって代用させてもよい。さらに、上記実施形態の表示装置では、赤色単色の表示装置を例に説明したが、例えば、赤色ＬＥＤと黄緑色ＬＥＤにより赤色と黄緑色およびそれらの混色の橙色を表示する多色の表示装置においても、少なくとも２種類の主波長の赤色ＬＥＤを備える構成とし、昼間時における消費電力およびプルキンエ現象によらずに赤色を表示する構成を実現可能である。
【図面の簡単な説明】
【００４８】
【図１】表示装置の表示面を示す図である。
【図２】表示ユニットを示す図である。
【図３】表示装置の主な構成を示すブロック図である。
【図４】ＬＥＤ駆動回路の要部回路を示す図である。
【図５】表示データおよび点灯パルスのタイミングチャート図である。
【図６】他の例にかかる表示部を示す図である。
【図７】他の例にかかる表示装置の主な構成を示すブロック図である。
【符号の説明】
【００４９】
１０…表示装置
１１…表示画素
２０…制御部
２１…ＣＰＵ
２２…制御プログラムメモリ
２３…表示データメモリ
２４…ＲＯＭ
２４ａ…表示データ
２４ｂ…点灯率データ
２５…照度値検出部
２６…ＬＥＤ制御部
２６ａ…点灯パルス出力部
２６ｂ…データ制御部
２７…通信部
３０…ＬＥＤ表示部
３１…シフトレジスタ
３２…ＬＥＤ駆動回路
４０…照度計
【図１】
2007218942.tif 000003
【図２】
2007218942.tif 000004
【図３】
2007218942.tif 000005
【図４】
2007218942.tif 000006
【図５】
2007218942.tif 000007
【図６】
2007218942.tif 000008
【図７】
2007218942.tif 000009